(57)【要約】【課題】携帯型パーソナルコンピュータの底面に設置した吸盤が発生する吸着力により安定して設置面に固定することができ、移動、転落を防止するとともに、移動する際には余分な操作を必要とせずに簡単に吸着力を消滅させることができる作業性のよい携帯型パーソナルコンピュータを提供する。【解決手段】吸盤２と、表示装置１１の開閉と連動して吸盤２の中心部を上下させる棒２２と、表示装置１１を閉じる時に吸盤２の周辺部を持ち上げるワイヤ２４を備え、携帯型パーソナルコンピュータを使用するために表示装置を開くと吸盤の吸着力が増加して机に固定され、表示装置を閉じると吸着力が消滅して持ち運びが簡単になる。【選択図】図２
2007207071.tif 000002
【特許請求の範囲】
【請求項１】
携帯型パーソナルコンピュータの本体と、
前記本体に開閉可能に取り付けられ表示装置と、
前記本体の底面に設置面に固定する吸盤と、
を備えたことを特徴とする携帯型パーソナルコンピュータ。
【請求項２】
前記表示装置を開くことに連動して、前記吸盤が前記本体の設置面に吸着する手段を備えたことを特徴とする請求項１に記載の携帯型パーソナルコンピュータ。
【請求項３】
前記表示装置を閉じることに連動して、前記吸盤が前記本体の設置面に対する吸着力を減少あるいは消滅させる手段を備えたことを特徴とする請求項１または２に記載の携帯型パーソナルコンピュータ。
【請求項４】
前記表示装置の開閉にかかわらず、前記吸盤が前記本体の設置面に対する吸着力を減少あるいは消滅させる手段を備えたことを特徴とする請求項１または２に記載の携帯型パーソナルコンピュータ。
【発明の詳細な説明】
【技術分野】
【０００１】
本発明は軽量化が進んでいる携帯型パーソナルコンピュータを机上等に設置した際に簡単便利に固定力を増加させて位置ずれや落下を防止するとともに、移動する際は簡易な操作で固定力を減少させることができる携帯型パーソナルコンピュータの固定装置に関するものである。
【背景技術】
【０００２】
従来の携帯型パーソナルコンピュータは底面にゴム製の足を備え、自重により発生する摩擦力で設置面上を滑ることを防止している。
【０００３】
また、吸盤を使用することにより摩擦力よりも大きな固定力を得るコンピュータ・ドッキング・ステーションの技術がある。（例えば、特許文献１参照）
【特許文献１】特開平１１−３５３０５６号公報
【発明の開示】
【発明が解決しようとする課題】
【０００４】
しかしながら、上記従来の構成では、携帯型パーソナルコンピュータの軽量化が進むにつれて、自重により発生する摩擦力が小さくなる。使用者が意図しない力が携帯型パーソナルコンピュータに加わったとき、その力が自重により発生する摩擦力より大きい場合は携帯型パーソナルコンピュータが移動してしまい、場合によっては机上から落下して破損する危険性があるという課題を有していた。
【０００５】
また、特許文献１に記載された技術では電子機器を机上に設置したあとノブを作動位置に動かして底面に設置した吸盤に吸着力を発生させる。そして、電子機器を移動するときには持ち上げる前にノブを解放位置に動かして吸着力を消滅させる操作が必要になる。
【０００６】
本発明は、上記従来の課題を解決するもので、自重により発生する摩擦力よりも大きな固定力を発生させるとともに、固定力を発生、解除させるためにノブの操作のような特別な操作を必要としないため作業性の良い携帯型パーソナルコンピュータを提供することを目的とする。
【課題を解決するための手段】
【０００７】
上記従来の課題を解決するために、本発明は携帯型パーソナルコンピュータ本体の下部に固定手段として吸盤を設け、机などの設置面に押し付けて吸着力を発生させ固定する機能を持つ。
【０００８】
本構成によって、吸盤が発生する吸着力により携帯型パーソナルコンピュータを強力に設置面に固定することができ、外力による移動が行われなくなる。
【０００９】
また、携帯型パーソナルコンピュータの表示部を開く動作により吸盤の吸着力を発生させ、または増加させる手段により、携帯型パーソナルコンピュータを使用するために表示部を開いている間はより強い固定力を発生させるように構成したものである。
【００１０】
また、携帯型パーソナルコンピュータの表示部を閉じる動作により吸盤の吸着力を減少、あるいは消滅させる手段により、携帯型パーソナルコンピュータの使用を終了して表示部を閉じた場合に固定力を減少、消滅させて移動のための取り外しが容易になるように構成したものである。
【００１１】
また、携帯型パーソナルコンピュータの表示部を閉じた場合であっても吸盤の吸着力が強く発生する状態を保つように構成して、携帯型パーソナルコンピュータの使用を終了して表示部を閉じた場合であっても設置面に強く固定して、外力による移動が行われなくなるようにしたものであり、さらに吸盤の吸着力を減少、あるいは消滅させる手段を設けて、携帯型パーソナルコンピュータを移動させる場合に取り外しが容易になるように構成したものである。
【発明の効果】
【００１２】
本発明の携帯型パーソナルコンピュータによれば、特別な操作を行うことなく吸着力を発生させるため、軽量な個体であっても机などの設置面に強力に固定することができ、移動する場合には吸着力を減少させ取り外しを容易にすることができる。
【発明を実施するための最良の形態】
【００１３】
以下本発明を実施するための最良の形態について、図面を参照しながら説明する。
【００１４】
（実施の形態１）
図１は、本発明の実施の形態１における携帯型パーソナルコンピュータの下面斜視図である。
【００１５】
図１において、１は携帯型パーソナルコンピュータの本体であり、本体に対して回転して開閉する表示装置１１を備える。本体の底部には十分な強度を持つ接着剤などで吸盤２を固定する。携帯型パーソナルコンピュータ１を机上などの設置面に置くときに、手で携帯型パーソナルコンピュータ１を机上に押し付けることにより吸盤２のカップ内に存在していた空気を押し出す。その後押さえていた力を抜くと吸盤の弾性により中心部を押し上げてカップの容積を増やすが吸盤の周辺部が机に密着しているためカップ内の気密は保たれて気圧が低くなり、吸盤を机に押し付ける吸着力が発生する。その吸着力で携帯型パーソナルコンピュータ１を机上に固定する。
【００１６】
（実施の形態２）
図２は、本発明の実施の形態２を詳細に示す図である。図２において、図１と同じ構成要素については同じ符号を用い、説明を省略する。
【００１７】
図２において、２１は吸盤２の中心部である。また、２２は携帯型パーソナルコンピュータ１の表示装置１１と吸盤２の中心部２１をつなぐ棒であり、表示装置１１の開閉動作に応じて吸盤２の中心部２１が携帯型パーソナルコンピュータ１の底面に開けられた穴の中を上下に移動するように取り付けられている。
【００１８】
机上に置いた携帯型パーソナルコンピュータ１の表示装置１１を開くと、表示装置１１と吸盤２の中心部２１をつなぐ棒２２が吸盤２の中心部２１を上方に引き上げる。（図２（ａ）の状態）この動きにより、吸盤２のカップ内の気圧が低くなり、机上面に対してさらに強い吸着力が生じて携帯型パーソナルコンピュータ１がより強く机上に固定されるようになる。表示装置１１を閉じたときには中心部２１が下方に押し下げられ、カップの中の容積が小さくなるため内部の気圧が高くなり吸着力が減少する（図２（ｂ）の状態）。
【００１９】
なお、表示装置１１の重心は図２の矢印のように図２（ａ）と（ｂ）では位置が移動する。吸盤２にかかる荷重は図２（ｂ）に比べて図２（ａ）の方が大きくなるので、机上に対する吸盤２の吸着力は図２（ａ）では更に増し、表示装置１１を開いて状態では携帯型パーソナルコンピュータ１がより強く机上に固定されるようになる。
【００２０】
（実施の形態３）
図３は、本発明の実施の形態３を詳細に示す図である。
【００２１】
図３において、２３は吸盤２の周辺部である。また、２４は弱い力で曲がるワイヤであり、携帯型パーソナルコンピュータ１の表示装置１１と吸盤２の周辺部２３を結んだものである。
【００２２】
机上に携帯型パーソナルコンピュータ１を設置して、表示装置１１を開いているときはワイヤ２４が曲がり吸盤の周辺部２３は変形しないため吸盤の気密は保たれ吸着力が持続する（図３（ａ）の状態）。また、表示装置１１を閉じると、表示装置１１と吸盤２の周辺部２３をつなぐワイヤ２４が張ることにより吸盤２の周辺部２３が上方に引き上げられる（図３（ｂ）の状態）。この動きにより、吸盤２のカップ内に空気が入り吸着力が消滅するため、携帯型パーソナルコンピュータ１を簡単に移動できるので作業性がよくなる。
【００２３】
また、実施の形態２に示した、表示装置１１と吸盤２の中心部２１をつなぐ棒２２を追加してもよい。このようにすると携帯型パーソナルコンピュータを使用するために表示装置１１を開いたときに吸着力が増加されてより強力に設置面に固定でき、使用を終了して表示装置１１を閉じたときに吸着力が確実に消滅するように構成できるので、携帯型パーソナルコンピュータを使用するときは強力に固定でき、移動するときは簡単に持ち上げることができるようになる。
【００２４】
（実施の形態４）
図４は、本発明の実施の形態４を示し、実施の形態３の図３の変形例を示す図であり、表示装置１１の開閉操作によらず、吸盤２の吸着力を消滅させる機構の例を示している。
【００２５】
図４において、１２は携帯型パーソナルコンピュータ１の側面に開けられた凹部の中に取り付けられたレバーであり、操作者の指により上方に引き上げることができる。２５は吸盤２の周辺部である。２６は弱い力で曲がるワイヤであり、レバー１２と吸盤２の周辺部２５を結んだものである。
【００２６】
机上に携帯型パーソナルコンピュータ１を設置しているときはその荷重によりレバー１２は下方に下がり、レバー１２と吸盤の周辺部２５を結ぶワイヤ２６は曲がっているため吸盤の周辺部２５は変形せず吸盤の気密は保たれ吸着力が持続する（図４（ａ）の状態）。携帯型パーソナルコンピュータ１を移動するために持ち上げる際に、レバー１２を指（図示せず）で上方に移動させると、ワイヤ２６が張り吸盤２の周辺部２５が上方に引き上げられる。この動きにより、吸盤２のカップ内に空気が入り吸着力が消滅するため、携帯型パーソナルコンピュータ１を簡単に移動できるので作業性がよくなる。
【００２７】
また、実施の形態２に示した、表示装置１１と吸盤２の中心部２１をつなぐ棒２２を追加してもよい。このようにすると表示装置１１を開いたときに吸着力が増加されるとともに、表示装置１１を開いた状態を保っていてもレバー１２を上に引き上げることにより吸着力が確実に消滅するように構成できるので、携帯型パーソナルコンピュータを移動するときに作業性がよくなる。
【産業上の利用可能性】
【００２８】
本発明にかかる携帯型パーソナルコンピュータは、机上に設置したときに机に押し付けることにより底面に設置された吸盤が吸着力を発生させ、さらに表示装置を開く動作により吸着力を増加させることができる。この吸着力は、余計な動作をすることなく、通常の机上に置き表示装置を開くといった操作で発生させ増加させることができる。
【００２９】
また、移動するときは、表示装置を閉じる動作やレバーを上げる動作により吸着力を消滅させることができるため、簡単に移動することが可能になる。この技術を使うと軽量になっても机上に安定して置くことができ、外力によって移動や転落が発生しなくなるため軽量化が進む携帯型パーソナルコンピュータ等に有用である。
【図面の簡単な説明】
【００３０】
【図１】本発明の実施の形態１における携帯型パーソナルコンピュータの下面斜視図
【図２】本発明の実施の形態２を示す図
【図３】本発明の実施の形態３を示す図
【図４】本発明の実施の形態４を示す図
【符号の説明】
【００３１】
１  携帯型パーソナルコンピュータの本体
２  吸盤
１１  表示装置
１２  レバー
２１  吸盤の中心部
２２  表示装置と吸盤の中心部をつなぐ棒
２３  吸盤の周辺部
２４  表示装置と吸盤の周辺部をつなぐワイヤ
２５  吸盤の周辺部
２６  レバーと吸盤の周辺部をつなぐワイヤ
【図１】
2007207071.tif 000003
【図２】
2007207071.tif 000004
【図３】
2007207071.tif 000005
【図４】
2007207071.tif 000006